(57)【要約】【課題】ダイナモメータ３の電動機からトルクメータ２４への伝熱を抑制し、トルクメータ２４を効果的に冷却して常温により近付ける。【解決手段】ダイナモメータ３の主軸６におけるカップリング２１とアダプタフランジ２２との間に断熱プレート２５が介装される。供試体接続面５６となるカップリングフランジ２３とアダプタフランジ２２との間に、トルクメータ２４が配設される。これらの周囲を囲むようにカバー７が設けられており、冷凍サイクルを利用した空調機によってカバー７の内部空間に冷風が供給される。【選択図】図４
2018185216.tif 000002
【特許請求の範囲】
【請求項１】
主軸の先端がハウジングから突出したダイナモメータと、
上記主軸と供試体接続部との間に配設されたトルクメータと、
上記主軸と上記トルクメータとの間に位置するいずれかのフランジ継ぎ手において２つのフランジ面の間に介装された断熱プレートと、
上記断熱プレートと接する少なくとも一方のフランジ面に設けられたセラミックス溶射層と、
上記ハウジングの端面と上記供試体接続部との間において少なくとも上記トルクメータの周囲を囲むように形成されたカバーと、
上記カバーの内部空間に温調風を供給する空調機と、
を備えたことを特徴とするダイナモメータ装置。
【請求項２】
上記トルクメータは、一対のフランジを備えており、
上記トルクメータの一方のフランジが取り付けられる第２の回転部材のフランジ面と、上記主軸の先端部における第１の回転部材のフランジ面と、の間に上記断熱プレートが配置されており、
上記第１の回転部材と上記第２の回転部材とは、上記断熱プレートを貫通した複数本のボルトによって互いに結合されている、
ことを特徴とする請求項１に記載のダイナモメータ装置。
【請求項３】
上記断熱プレートは中央に円形の開口部を有する環状をなしており、
上記第１の回転部材および第２の回転部材の一方の内周側部分に設けられた円形の突出部と、他方の内周側部分に設けられた円形の凹部と、上記開口部を通して互いに嵌合している、
ことを特徴とする請求項２に記載のダイナモメータ装置。
【請求項４】
互いに嵌合する上記突出部および上記凹部の少なくとも一方の接触面に、セラミックス溶射層が設けられている、ことを特徴とする請求項３に記載のダイナモメータ装置。
【請求項５】
上記カバーは、上記ハウジングの端面から上記供試体接続部の前端面まで延びており、
上記供試体接続部の前端面に沿った前面壁に、上記供試体接続部が露出する円形の開口部を備えている、
ことを特徴とする請求項１〜４のいずれかに記載のダイナモメータ装置。
【請求項６】
上記トルクメータの供試体接続部側に位置するいずれかのフランジ継ぎ手において第２の断熱プレートが設けられている、ことを特徴とする請求項１〜５のいずれかに記載のダイナモメータ装置。
【請求項７】
上記空調機は、上記トルクメータの検出温度に応じて、温調風の温度が制御される、ことを特徴とする請求項１〜６のいずれかに記載のダイナモメータ装置。
【発明の詳細な説明】
【技術分野】
【０００１】
この発明は、車両のパワートレインやエンジンなどの性能評価や試験を行うダイナモメータ装置に関し、特に、ダイナモメータの主軸と供試体との間にトルクメータを備えたダイナモメータ装置の改良に関する。
【背景技術】
【０００２】
車両のパワートレインやエンジン単体あるいはトランスミッションなどを供試体として、性能評価や試験を行うダイナモメータ装置が知られている。このダイナモメータ装置は、ダイナモメータの主軸の先端に、例えばトランスミッションのドライブシャフトやエンジンのクランクシャフトなどの供試体側の回転軸が接続されるように構成されている。特許文献１および特許文献２には、軸トルクを検出するトルクメータを、ダイナモメータの主軸と供試体との間に備えたダイナモメータ装置が開示されている。
【０００３】
トルクメータは、一般に、ダイナモメータの主軸側のフランジと供試体側のフランジとの間に作用しているトルクを高精度に検出し、非接触で出力の取り出しを行う構成となっている。このような高い検出精度を要求されるトルクメータにあっては、特許文献１に課題として挙げられているように、温度に応じた特性変化つまり温度ドリフトが比較的大きく発生する、という問題がある。
【０００４】
特許文献２は、供試体を極高温下あるいは極低温下に晒して試験を行うために、ダイナモメータに接続された供試体を環境槽内に収容するようにしたダイナモメータ装置に関するもので、供試体とダイナモメータとの間に、回転軸が通過する孔を備えた断熱壁を設けるとともに、この断熱壁付近にエアダクトを介して冷却風を送るようにした構成を開示している。
【０００５】
また特許文献３は、ブロアによってトルクメータに温調空気を当てるとともに、トルクメータと中間軸受で支持される中間軸との間に断熱材を介在させたダイナモメータ装置を開示している。
【先行技術文献】
【特許文献】
【０００６】
【特許文献１】特開２００３−１３０７５１号公報
【特許文献２】特開２０１３−１３０５５７号公報
【特許文献３】特開２０１３−２１０２０２号公報
【発明の概要】
【発明が解決しようとする課題】
【０００７】
電動機を主体とするダイナモメータは、試験運転中に発熱し、空冷あるいは液冷式の冷却機構を備えていても、かなりの高温となる。そして、電動機の熱は、金属部品からなる主軸やフランジ継ぎ手を介してトルクメータに伝達され、トルクメータを加熱してしまう。特に、近年、ダイナモメータ装置の小型化のために、トルクメータがダイナモメータ内部の電動機に軸方向で近い位置となる傾向があり、トルクメータに対するダイナモメータの熱の影響がそれだけ大きなものとなる。
【０００８】
特許文献２の技術は、このような主軸を介してダイナモメータ（電動機）から伝達される熱に対して、対処するものではない。特許文献２の技術は、環境槽からの熱の影響を排除しているに過ぎない。従って、特許文献２のように環境槽との間の断熱壁へ向けて冷却風を供給しても、ダイナモメータからの伝熱があると、トルクメータの温度を低温に保持することは困難である。
【０００９】
一方、特許文献３は、中間軸とトルクメータとの間に断熱材を介在させているが、このように断熱材が介在すると、回転軸全体の長さが断熱材の厚さ分だけ長くなり、ダイナモメータ装置の許容最高回転速度が低下する。また、金属部材に比較して断熱材の剛性は低いので、厚い断熱材が介在すると、中間軸の回転中心軸線とトルクメータ側の回転中心軸線との同心度が低下しやすい。
【００１０】
従って、この発明は、許容回転速度の低下等の弊害を伴わずにダイナモメータの電動機からトルクメータへ伝達される熱の影響を抑制して、トルクメータの温度をより常温に近い温度に維持することを目的とする。
【課題を解決するための手段】
【００１１】
この発明に係るダイナモメータ装置は、
主軸の先端がハウジングから突出したダイナモメータと、
上記主軸と供試体接続部との間に配設されたトルクメータと、
上記主軸と上記トルクメータとの間に位置するいずれかのフランジ継ぎ手において２つのフランジ面の間に介装された断熱プレートと、
上記断熱プレートと接する少なくとも一方のフランジ面に設けられたセラミックス溶射層と、
上記ハウジングの端面と上記供試体接続部との間において少なくとも上記トルクメータの周囲を囲むように形成されたカバーと、
上記カバーの内部空間に温調風を供給する空調機と、
を備えたことを特徴としている。
【００１２】
この構成では、フランジ面の間に断熱プレートが介在することによって、両者間の伝熱面積が少なくなり、主軸を介してトルクメータに伝わる熱量が少なくなる。さらに、セラミックス溶射層によって、より確実に断熱される。そして、このように主軸から断熱されているトルクメータの周囲を囲むカバー内の空間に空調機から温調風（冷風ないし温風）が供給されるので、例えば冷風によってトルクメータを効果的に冷却でき、トルクメータの基準温度例えば常温（例：２５℃）により近付けることができる。
【００１３】
なお、空調機としては、冷媒が循環する冷凍サイクルを利用して外気温よりも低い温度の冷風や温風を生成・供給できるものであることが望ましい。
【００１４】
一つの態様では、上記空調機は、上記トルクメータの検出温度に応じて、温調風の温度が制御される。
【００１５】
本発明では、断熱要素として断熱プレートとセラミックス溶射層とを組み合わせて用いているので、所望の断熱性能に比較して断熱プレートの厚さが比較的に薄くなる。従って、断熱要素を付加することによる回転軸全体の長さの増加が抑制され、ダイナモメータ装置の許容最高回転速度の低下を抑制できる。また断熱プレートの厚さを薄くすることで、前後の回転軸の同心度の低下も抑制することができる。
【００１６】
本発明の具体的な一つの態様では、
上記トルクメータは、一対のフランジを備えており、
上記トルクメータの一方のフランジが取り付けられる第２の回転部材のフランジ面と、上記主軸の先端部における第１の回転部材のフランジ面と、の間に上記断熱プレートが配置されており、
上記第１の回転部材と上記第２の回転部材とは、上記断熱プレートを貫通した複数本のボルトによって互いに結合されている。
【００１７】
さらに好ましくは、
上記断熱プレートは中央に円形の開口部を有する環状をなしており、
上記第１の回転部材および第２の回転部材の一方の内周側部分に設けられた円形の突出部と、他方の内周側部分に設けられた円形の凹部と、上記開口部を通して互いに嵌合している。
【００１８】
これにより、第１の回転部材と第２の回転部材との同心度が断熱プレートによらずに維持される。従って、断熱プレートを貫通した上記のボルトによって第１の回転部材と第２の回転部材とが堅固に結合されて確実なトルク伝達が可能である。
【００１９】
また、本発明の好ましい一つの態様では、互いに嵌合する上記突出部および上記凹部の少なくとも一方の接触面に、セラミックス溶射層が設けられている。このセラミックス溶射層によって、突出部と凹部との接触面においても、断熱作用が得られる。
【００２０】
上記カバーは、好ましくは、上記ハウジングの端面から上記供試体接続部の前端面まで延びており、上記供試体接続部の前端面に沿った前面壁に、上記供試体接続部が露出する円形の開口部を備えている。これにより、冷風が供給されるカバーの内部空間と外部とが確実に隔絶され、比較的少量の冷風でもって効果的に冷却できる。
【００２１】
また、上記トルクメータの供試体接続部側に位置するいずれかのフランジ継ぎ手において第２の断熱プレートを設けるようにしてもよい。例えば、試験中に温度上昇する供試体の場合には、第２の断熱プレートを付加することが望ましい。
【発明の効果】
【００２２】
この発明によれば、許容最高回転速度の低下を伴うことなくトルクメータの温度を常温に近付けることができ、温度ドリフトの校正が容易になるとともに、トルクメータの測定値の信頼性が向上する。
【図面の簡単な説明】
【００２３】
【図１】本発明の一実施例のダイナモメータ装置全体の側面図。
【図２】空調機を含むダイナモメータ装置の正面図。
【図３】空調機を含むダイナモメータ装置の平面図。
【図４】カバーを取り除いて示すダイナモメータ装置前端部の拡大図。
【図５】トルクメータを含む主軸先端部分の断面図。
【図６】カップリングの（ａ）断面図および（ｂ）左側面図。
【図７】断熱プレートの平面図。
【図８】アダプタフランジの（ａ）断面図、（ｂ）左側面図および（ｃ）右側面図。
【図９】トルクメータの（ａ）正面図、（ｂ）左側面図および（ｃ）右側面図。
【図１０】カップリングフランジの（ａ）断面図および（ｂ）左側面図。
【図１１】カバーの正面図。
【図１２】カバーの第２前面壁をスライドさせた状態を示す説明図。
【図１３】カバーを左右に開いた中間段階の状態を示す説明図。
【図１４】カバーを全開とした状態を示す説明図。
【発明を実施するための形態】
【００２４】
以下、この発明の一実施例を図面に基づいて詳細に説明する。
【００２５】
図１は、この発明に係るダイナモメータ装置１の一実施例を示す側面図である。このダイナモメータ装置１は、基台２の上端のベッド２ａ上に、回転軸線を水平とした姿勢でもって搭載されたダイナモメータ３を備えている。
【００２６】
ダイナモメータ３は、箱型のハウジング４が内部の電動機を囲った構成となっており、内部の電動機を冷却する例えば空冷式の冷却機構として、外気を取り込んでハウジング４の内部へ送る送風ファン５を、ハウジング４の上面に備えている。
【００２７】
ダイナモメータ３の回転軸つまり主軸６の先端は、ハウジング４の前端面から突出しており、かつこの主軸６先端部分を覆うように、矩形の箱状をなすカバー７がハウジング４の前端面に取り付けられている。なお、図１では、内部構成を示すために、カバー７が仮想線で示されている。
【００２８】
図２および図３は、ダイナモメータ装置１の前端部の構成を示しており、これらの図に示すように、ダイナモメータ装置１は、ダイナモメータ３とは別置きとなる可搬型の空調機１１を備えている。この空調機１１は、冷媒の圧縮・膨張を伴ういわゆる冷凍サイクルを利用して外気温よりも低温の冷風あるいは外気温よりも高温の温風を生成し、内部のファンにより送風するものであり、上面に配置された風出口が送風ダクト１２を介してカバー７の上面に接続されている。これにより、カバー７の内部空間に、温調風（冷風ないし温風）が供給される。カバー７の内部空間に上面から垂直方向下方へ温調風を導入するように、送風ダクト１２の先端部は、カバー７の上面にほぼ垂直に接続されている。なお、空調機１１は、ダイナモメータ３の基台２等と一体化してもよいが、この実施例では、ダイナモメータ３からの熱をできるだけ受けないように、ダイナモメータ３と並べて床面上に個別に設置されている。
【００２９】
上記空調機１１は、基本的に、一定風量の送風を継続的に行う構成であり、温調風の温度（吹き出し温度）が、後述するトルクメータの温度を目標温度（例えば２５℃）に近付けるように、トルクメータの検出温度に応じて可変制御される。
【００３０】
図４は、カバー７によって覆われているダイナモメータ３の主軸６先端部分の構成の詳細を示す拡大図である。図示するように、主軸６の先端部分は複数のフランジ状の部材から構成されており、これらがフランジ継ぎ手として互いに結合されている。具体的には、主軸６先端部分は、電動機の回転軸の先端に取り付けられるカップリング２１（第１の回転部材）と、このカップリング２１に取り付けられる円盤状のアダプタフランジ２２（第２の回転部材）と、供試体接続部を構成する円盤状のカップリングフランジ２３と、アダプタフランジ２２とカップリングフランジ２３との間に配置されたトルクメータ２４と、カップリング２１とアダプタフランジ２２との間に挟み込まれた断熱プレート２５と、カップリングフランジ２３の供試体接続面に付加された第２断熱プレート２６と、を備えている。図５は、これらの部材（第２断熱プレート２６を除く）の結合状態を示した断面図である。
【００３１】
トルクメータ２４の下方位置には、トルクメータ２４から無線で送信された検出信号を受信して外部の操作測定ユニット（コンピュータ）に出力するステータ部２７が配置されている。このステータ部２７は、トルクメータ２４の周面の一部を囲むように構成されており、ハウジング４の前端面に取り付けられた支持台２８の上に支持されている。カバー７は、この支持台２８とともに、ハウジング４の前端面から第２断熱プレート２６の端面付近までの長さ範囲の周囲を囲っている。
【００３２】
カップリング２１は、図６に示すように、キー溝３１を介して電動機の回転軸に結合される円筒部３２と、円盤状のフランジ部３３と、を備えている。フランジ部３３には、アダプタフランジ２２との結合を行うためのボルト３４（図５参照）が通る円形のボルト貫通孔３５が、周方向に沿って複数個等間隔に配置されている。ここで、フランジ部３３の内周側部分は、段部３６として軸方向に僅かに突出しており、この段部３６よりも外周側部分が断熱プレート２５と接する環状のフランジ面３３ａとなっている。
【００３３】
断熱プレート２５は、高い断熱性を有するとともに高い強度を有するいわゆる高強度断熱板として市販されている非金属の断熱板からなり、図７に示すように、上記フランジ面３３ａに対応した環状に形成されている。そして、カップリング２１のボルト貫通孔３５に対応して、複数のボルト貫通孔３７が開口形成されている。ここで、断熱プレート２５の内径つまり円形開口部３８の径は、カップリング２１の段部３６の径に対応しており、この開口部３８が段部３６に比較的密に嵌合することによって断熱プレート２５が位置決めされるようになっている。
【００３４】
アダプタフランジ２２は、図８に示すように、中心に開口部４４を備えた環状をなし、外周部に、上記ボルト３４がそれぞれ螺合する複数のネジ孔３９を備えている。そして、このネジ孔３９を含む外周側部分が上記断熱プレート２５と接する環状のフランジ面２２ａとなっている。また、図８（ｃ）に示すカップリング２１側の面には、カップリング２１の段部３６に対応して、該段部３６の先端面が嵌合する円形の凹部４０が内周側部分に形成されている。また、図８（ｂ）に示すトルクメータ２４側の面には、トルクメータ取付座面４１が環状に形成されているとともに、トルクメータ２４を取り付けるためのボルト４２（図５参照）が螺合する複数のネジ孔４３が形成されている。
【００３５】
上記カップリング２１と上記アダプタフランジ２２とは、図５に示すように、各々のフランジ面３３ａ，２２ａの間に断熱プレート２５を挟み込んだ状態でボルト３４によって堅固に結合されている。この結合状態において、カップリング２１の段部３６の外周面は、アダプタフランジ２２の凹部４０の内周面に高精度に嵌合しており、この両者の嵌合によって、カップリング２１とアダプタフランジ２２との相互のセンタリングがなされている。つまり、カップリング２１とアダプタフランジ２２との同心度が、断熱プレート２５やボルト３４に依存せずに、段部３６と凹部４０との嵌合によって確保される。従って、複数のボルト３４をそれぞれ規定トルクで締め付けることにより、カップリング２１とアダプタフランジ２２との同心度ならびに両者のフランジ面３３ａ，２２ａの平行度が確実に得られる。なお、段部３６の先端面と凹部４０の底面とは、互いに接することなく極僅か離れている。
【００３６】
ここで、上記断熱プレート２５と接するフランジ面３３ａ，２２ａの少なくとも一方には、セラミックス溶射によって断熱層となるセラミックス溶射層が設けられている。一実施例では、カップリング２１側のフランジ面３３ａに、ジルコニアからなる厚さ０．５ｍｍのセラミックス溶射層が設けられている。そして、このセラミックス溶射層は、フランジ面３３ａの内周端から段部３６の外周面に連続して設けられている。上述したように、段部３６の外周面はアダプタフランジ２２の凹部４０の内周面に嵌合するが、両者の径寸法は、このセラミックス溶射層の厚み（０．５ｍｍ）を考慮して設定されている。つまり、段部３６外周面のセラミックス溶射層の上に、凹部４０の内周面が高い精度で嵌合している。
【００３７】
より具体的には、セラミックス溶射層は、フランジ面３３ａおよび段部３６外周面の双方において、例えば０．７ｍｍ程度の厚さに溶射した上で、セラミックス溶射層を含む外形が規定の外形寸法となるように研磨加工を施してあり、この研磨加工を経たセラミックス溶射層の厚さが、設計値で０．５ｍｍとなっている。従って、特に、段部３６外周面においては、研磨後の実際の径寸法が凹部４０の径に対応しており、凹部４０の内周面との間で高い精度の嵌合状態が得られる。なお、溶射材料として、アルミナやチタニア等の他のセラミックス材料を用いて、セラミックス溶射層を構成してもよい。
【００３８】
このように、カップリング２１とアダプタフランジ２２との間に断熱要素として断熱プレート２５とセラミックス溶射層が介在することによって、電動機からカップリング２１に伝わっている熱のアダプタフランジ２２への伝達が制限される。つまり、カップリング２１とアダプタフランジ２２との間の伝熱経路が、複数のボルト３４のみとなり、実質的な伝熱面積が減少する。
【００３９】
特に、断熱要素として断熱プレート２５とセラミックス溶射層とを組み合わせて用いることにより、所望の断熱性能に比較して断熱プレート２５の厚さが比較的に薄くなる。仮に断熱プレートのみで所望の断熱性能を得ようとすると、断熱プレートが厚くなり、ダイナモメータ３から突出する回転軸全体の長さが長くなることから、ダイナモメータ装置１の許容最高回転速度が低下する。しかも、断熱プレートは、金属部材に比較して剛性が低いので、同心度が低下し、同様に許容最高回転速度の低下や測定精度の低下の要因となる。上記実施例では、断熱プレート２５とセラミックス溶射層を組み合わせることで、このような不具合が最小となる。
【００４０】
しかも、前述したように、剛性の高いカップリング２１の段部３６とアダプタフランジ２２の凹部４０とが断熱プレート２５を介さずに互いに嵌合しているので、断熱プレート２５を具備していても、カップリング２１とアダプタフランジ２２とを高い精度で同軸状態に結合することができる。さらに、上記実施例では、両者の嵌合面にもセラミックス溶射層が介在しており、両者間での伝熱が最小限のものとなる。
【００４１】
トルクメータ２４は、いわゆる非接触フランジ型トルクメータとして市販されているものであり、図９に示すように、アダプタフランジ２２に複数のボルト４２（図５参照）によって固定される円盤状の第１フランジ４６と、カップリングフランジ２３に複数のボルト４７（図５参照）によって固定される円盤状の第２フランジ４８と、両者間のセンサ部４９と、を備えている。センサ部４９は、第１フランジ４６と第２フランジ４８との間に作用しているトルクを検出し、上述したように、非接触の形でステータ部２７（図４参照）に検出信号を出力する。センサ部４９は、温度ドリフトの校正のために、トルクメータ２４自体の温度を検出する温度センサを含んでおり、同様に温度信号がステータ部２７へ出力される。前述したように、空調機１１は、このトルクメータ２４の温度に応じて吹き出し温度が可変制御される。なお、トルクメータ２４自身が有する温度センサとは別に、カバー７内部の温度ないしトルクメータ２４付近の温度を検出する温度センサを設け、その検出温度に基づいて空調機１１を制御するように構成してもよい。
【００４２】
トルクメータ２４の第１フランジ４６は、周方向に沿って等間隔に複数のボルト貫通孔５１を有し、このボルト貫通孔５１を貫通してアダプタフランジ２２のネジ孔４３に螺合するボルト４２によって、アダプタフランジ２２のトルクメータ取付座面４１に固定されている。なお、アダプタフランジ２２のトルクメータ取付座面４１の内周に環状に設けられた段部４１ａ（図８（ａ）参照）が第１フランジ４６の円形の凹部４６ａ（図９（ｃ）参照）に嵌合し、これによって両者の相互のセンタリングがなされている。
【００４３】
トルクメータ２４の第２フランジ４８は、上記のボルト４２を通過させるための複数の円形の貫通孔５２を有するとともに、当該第２フランジ４８とカップリングフランジ２３とを結合するボルト４７が螺合する複数のネジ孔５３を備えている。貫通孔５２とネジ孔５３とは、周方向に交互に配置されている。
【００４４】
カップリングフランジ２３は、図１０に示すように、一方に平坦なトルクメータ取付座面５５を備え、他方に平坦な供試体接続面５６を備えている。また、周方向に沿って等間隔に複数の段付のボルト貫通孔５７を有し、このボルト貫通孔５７を通してトルクメータ２４の第２フランジ４８のネジ孔５３に螺合するボルト４７によって、カップリングフランジ２３が第２フランジ４８に固定されている。図５に示すように、ボルト４７の頭部は、段付のボルト貫通孔５７の中に位置し、供試体接続面５６には突出しない。なお、第２フランジ４８の内周に環状に設けられた段部４８ａ（図９（ａ）参照）がカップリングフランジ２３の円形開口部内周に設けられた凹部２３ａに嵌合し、これによって両者の相互のセンタリングがなされている。
【００４５】
また、カップリングフランジ２３の供試体接続面５６には、図外の供試体を直接にあるいは適宜な治具を介して固定するための複数のネジ孔５８が設けられている。第２断熱プレート２６（図４参照）は、断熱プレート２５と同様の高強度断熱板からなり、供試体接続面５６と供試体ないしは治具との間に介装される。
【００４６】
空調機１１によって冷風（あるいは温風）が内部空間に供給されるカバー７は、図１１〜図１４に示すように、空調機１１からの送風ダクト１２が接続される給気口６１を有する上面中央の固定頂部壁６２と、ハウジング４の前端部に複数のヒンジ６３を介して左右に開閉可能に構成された一対の可動半部６４Ａ，６４Ｂと、から構成されている。固定頂部壁６２は、平面視で四角形をなし、上述したカップリング２１やトルクメータ２４等の直上に位置している。
【００４７】
一対の可動半部６４Ａ，６４Ｂは、基本的に互いに対称の構成であり、カバー７の側壁面を構成する側壁６５と、固定頂部壁６２とともにカバー７の上面を構成するように側壁６５の上縁に沿って設けられた頂部壁６６と、支持台２８の側縁に連続してカバー７の底面を構成するように側壁６５の下縁に沿って設けられた底壁６７と、カバー７の前面の一部を構成するように頂部壁６６の一端縁と底壁６７の一端縁と側壁６５の側縁とに亘って形成された第１前面壁６８と、この第１前面壁６８の上（前面）に重ねられた第２前面壁６９と、をそれぞれ備えている。なお、図面においては、一方の可動半部６４Ａに属する各部に符号「Ａ」を付し、他方の可動半部６４Ｂに属する各部に符号「Ｂ」を付してある。以下の説明では、特に左右の区別が必要な場合にのみ符番に符号「Ａ」，「Ｂ」を加えて説明する。
【００４８】
カバー７は、通常の使用状態においては、矩形の箱状をなしており、正面視において、ほぼ正方形をなしている（図１１参照）。ヒンジ６３に連結されている側壁６５は、縦長の長方形をなし、その３辺に、頂部壁６６と底壁６７と第１前面壁６８とが接続されている。第２前面壁６９は、断面Ｌ字形に折れ曲がった上縁部７１および下縁部７２が、第１前面壁６８の上縁および下縁に左右にスライド可能に係合している。左右一対の第２前面壁６９は、図１１に示すように、主軸６の中心線上の合わせ面７４において互いに突き当てられている。そして、互いに突き当てられた状態において、上下２箇所に設けたラッチ機構７５によって互いに固定されている。前述した供試体接続面５６に対応した円形の開口部７３は、一対の第２前面壁６９に跨って形成されている。つまり、各々の第２前面壁６９は、互いに対称に半円形の切欠部７３Ａ，７３Ｂを有している。供試体接続面５６は、円形の開口部７３（切欠部７３Ａ，７３Ｂ）を通して外部に露出しており、基本的には、カバー７を開くことなく供試体の脱着が可能である。
【００４９】
なお、図示していないが、金属板からなるカバー７の各部の内壁面に、断熱材の貼着やセラミックス溶射による断熱層の形成などによる断熱処理を施すことが望ましい。カバー７の各部の外表面には、耐熱シートの貼着や耐熱塗装などの遮熱処理を施すことが望ましい。また、図示例のカバー７は、空調機１１から供給された温調風をトルクメータ２４等との熱交換後に外部へ排出するための排気口を具備しておらず、各部の隙間等から外部へ排出される態様となっているが、必要に応じて、例えば側壁６５下部などに排気口を開口形成するようにしてもよい。
【００５０】
上記のカバー７は、通常の使用時には閉じており、トルクメータ２４等の周囲をカバー７が囲った状態で供試体の種々の試験・測定が行われるが、例えばトルクメータ２４等の保守点検の際などには必要に応じてカバー７を開放することが可能である。図１２〜図１４は、カバー７を開くときの動作ないし作業手順を示しており、まず初めに、前端面のラッチ機構７５をアンロック状態とした上で、図１２に示すように、第２前面壁６９を左右に直線的にスライドさせて開く。第２前面壁６９の左右方向の幅と第１前面壁６８の左右方向の幅とは概ね等しく設定されており、従って、図１２のように、第１前面壁６８の上（前面）に第２前面壁６９が重なった状態となる。
【００５１】
そして、この図１２の状態からヒンジ６３を中心として一対の可動半部６４Ａ，６４Ｂを回動させて左右に開く。図１３は、中間の角度まで可動半部６４Ａ，６４Ｂが開いた状態を示している。ここで、可動半部６４Ａ，６４Ｂを回動させる前に上記のように第２前面壁６９が左右に退避しているので、半円形の切欠部７３Ａ，７３Ｂがカップリングフランジ２３に干渉することがない。また、供試体接続面５６に何らかの供試体が取り付けられている状態でも、供試体が特に大型のものでなければ、供試体と干渉せずに可動半部６４Ａ，６４Ｂの開閉が可能である。
【００５２】
図１４は、最終的に可動半部６４Ａ，６４Ｂが１８０°回動してカバー７が全開となった状態を示している。具体的には図示していないが、可動半部６４Ａ，６４Ｂの側壁６５あるいは対応するハウジング４の側壁面に永久磁石を取り付けておき、図１４のように全開とした可動半部６４Ａ，６４Ｂを磁力で保持するようにしてもよい。
【００５３】
このように図示の実施例では、カバー７を簡単に開閉することができる。そして、カバー７を全開とすることで、ハウジング４の前端面付近までカップリング２１等の周囲を開放することができる。従って、トルクメータ２４の点検や保守あるいはトルクレンチを使用した各部の締結作業等の作業性が向上する。
【００５４】
以上のように上記実施例のダイナモメータ装置１においては、通常の使用時には、トルクメータ２４の周囲がカバー７によって囲まれた状態となっており、このカバー７の内部空間に空調機１１によって冷風や温風が供給される。そして、発熱体である電動機の回転軸とトルクメータ２４との間の伝熱は、断熱プレート２５によって大きく制限されるので、空調機１１が供給する冷風ないし温風によってトルクメータ２４を効果的に冷却ないし加温することができ、トルクメータ２４を常温（例えば２５℃）により近付けることができる。これにより、トルクメータ２４の温度ドリフトが相対的に小さく抑制され、その校正が容易になるとともに、校正後の測定値の信頼性が向上する。
【００５５】
また、カップリング２１とアダプタフランジ２２とは、外周側の広い範囲に断熱プレート２５が介在するものの、カップリング２１の段部３６とアダプタフランジ２２の凹部４０との直接の嵌合・接触ならびに周囲の複数本のボルト３４によって互いに堅固に結合されているので、断熱プレート２５の弾性変形によるトルク測定値の信頼性の低下や、双方の回転中心軸線の角度的なずれ、などを招来することがない。
【００５６】
なお、上記実施例では、カップリング２１とアダプタフランジ２２との間に断熱プレート２５が配置されているが、本発明は必ずしもこの実施例の構成に限定されるものではない。例えば、アダプタフランジ２２を具備しないような構成ではカップリング２１とトルクメータ２４の第１フランジ４６との間に断熱プレート２５を配置してもよく、さらに多数のフランジ部材を連結した構成では他の適当な位置に断熱プレート２５を配置することができる。
【符号の説明】
【００５７】
１…ダイナモメータ装置
３…ダイナモメータ
４…ハウジング
６…主軸
１１…空調機
２１…カップリング
２２…アダプタフランジ
２３…カップリングフランジ
２４…トルクメータ
２５…断熱プレート
２６…第２断熱プレート
【図１】
2018185216.tif 000003
【図２】
2018185216.tif 000004
【図３】
2018185216.tif 000005
【図４】
2018185216.tif 000006
【図５】
2018185216.tif 000007
【図６】
2018185216.tif 000008
【図７】
2018185216.tif 000009
【図８】
2018185216.tif 000010
【図９】
2018185216.tif 000011
【図１０】
2018185216.tif 000012
【図１１】
2018185216.tif 000013
【図１２】
2018185216.tif 000014
【図１３】
2018185216.tif 000015
【図１４】
2018185216.tif 000016
【手続補正書】
【提出日】平成30年7月17日(2018.7.17)
【手続補正１】
【補正対象書類名】特許請求の範囲
【補正対象項目名】請求項１
【補正方法】変更
【補正の内容】
【請求項１】
主軸の先端がハウジングから突出したダイナモメータと、
上記主軸と供試体接続部との間に配設されたトルクメータと、
上記主軸と上記トルクメータとの間に位置するいずれかのフランジ継ぎ手において２つのフランジ面の間に挟み込まれた別部材からなる断熱プレートと、
上記断熱プレートと接する少なくとも一方のフランジ面に設けられたセラミックス溶射層と、
上記ハウジングの端面と上記供試体接続部との間において少なくとも上記トルクメータの周囲を囲むように形成されたカバーと、
上記カバーの内部空間に温調風を供給する空調機と、
を備えたことを特徴とするダイナモメータ装置。
【手続補正２】
【補正対象書類名】特許請求の範囲
【補正対象項目名】請求項３
【補正方法】変更
【補正の内容】
【請求項３】
上記断熱プレートは中央に円形の開口部を有する環状をなしており、
上記第１の回転部材および第２の回転部材の一方の内周側部分に設けられた円形の突出部と、他方の内周側部分に設けられた円形の凹部とが、上記開口部を通して互いに嵌合している、
ことを特徴とする請求項２に記載のダイナモメータ装置。
【手続補正３】
【補正対象書類名】明細書
【補正対象項目名】００１１
【補正方法】変更
【補正の内容】
【００１１】
この発明に係るダイナモメータ装置は、
主軸の先端がハウジングから突出したダイナモメータと、
上記主軸と供試体接続部との間に配設されたトルクメータと、
上記主軸と上記トルクメータとの間に位置するいずれかのフランジ継ぎ手において２つのフランジ面の間に挟み込まれた別部材からなる断熱プレートと、
上記断熱プレートと接する少なくとも一方のフランジ面に設けられたセラミックス溶射層と、
上記ハウジングの端面と上記供試体接続部との間において少なくとも上記トルクメータの周囲を囲むように形成されたカバーと、
上記カバーの内部空間に温調風を供給する空調機と、
を備えたことを特徴としている。
【手続補正４】
【補正対象書類名】明細書
【補正対象項目名】００１７
【補正方法】変更
【補正の内容】
【００１７】
さらに好ましくは、
上記断熱プレートは中央に円形の開口部を有する環状をなしており、
上記第１の回転部材および第２の回転部材の一方の内周側部分に設けられた円形の突出部と、他方の内周側部分に設けられた円形の凹部とが、上記開口部を通して互いに嵌合している。